(57)【要約】【課題】  財布としての機能を果たさせるため、残高の補充や確認のためユーザが入力できるようになっている携帯型決済デバイスが知られているが、第三者との直接的な取引を想定していないため、第三者の行為に対し受領書等を発行する能動的な機能を備えていない。【解決手段】  本発明に代替用収受機は、有料道路の料金所(31)の一時的な代替用である。該代替用収受機は、入力された通行料金(1)の収受(2)、勤務(3)、マスタ(4)の各入力情報の処理(5)及び該通行料金(1)に対応した領収書(6)の発行機能を有している。そして、該料金所(31)に対して情報の遠隔送受信(7)が可能となっている。【選択図】  図１
2016099818.tif 000002
【特許請求の範囲】
【請求項１】
有料道路の料金所事務室(31)の一時的な代替用で、入力された通行料金(1)の収受(2)、勤務(3)、マスタ(4)の各入力情報の処理(5)及び該通行料金(1)に対応した領収書(6)の発行機能を有し、該料金所事務室(31)に対して情報の遠隔送受信(7)が可能となっていることを特徴とする代替用収受機。
【請求項２】
該通行料金(1)の該処理(5)は通行する車両(11)の提示による通行記録(12)に基づく料金データを収受員(13)の制御(14)に基づいてなされる請求項１に記載の代替用収受機。
【請求項３】
該領収書(6)は該通行料金(1)の該処理(5)に基づいて発行される請求項１に記載の代替用収受機。
【発明の詳細な説明】
【技術分野】
【０００１】
本発明は代替用収受機に関し、料金収受装置が何らかの原因でその機能を果たせなくなったときに、その料金収受装置の代替として使用できるようにしたものである。
【背景技術】
【０００２】
携帯型決済デバイスであって、近接デバイスとはオフライン型で、また遠隔デバイスとはオンライ型で、それぞれ情報のやり取りを行うものが特許文献１に開示されている。
【先行技術文献】
【特許文献】
【０００３】
【特許文献１】特開２０１０−５１４３１２号公報；段落００１７参照
【発明の概要】
【発明が解決しようとする課題】
【０００４】
この特許文献１に記載された携帯型決済デバイスは、現金を持ち歩くことなく物品の購入代金の支払いができる財布としての機能を果たさせるためのもので、残高の補充や確認のためユーザが入力できるようになっている。しかしながら、この携帯型決済デバイスはユーザによる第三者との直接的な取引を想定していないため、ユーザが行えるのはこれらの入力のみで、第三者の行為に対し受領書等を発行する能動的な機能を備えていない。
【課題を解決するための手段】
【０００５】
（請求項１）本発明に係る代替用収受機は、有料道路の料金所事務室の一時的な代替用で、入力された通行料金の収受、勤務、マスタの各入力情報の処理及び該通行料金に対応した領収書の発行機能を有し、該料金所事務室に対して情報の遠隔送受信が可能となっている。
【０００６】
有料道路の料金所では、料金収受装置が事故、落雷等による通信障害その他の何らかの原因でその機能を果たせなくなると料金収受ができなくなる。この場合、車両は通行できず、渋滞が発生し、社会的に大きな影響を及ぼしてしまう。
【０００７】
本発明では、料金所事務室とは分離した独立の携帯型の収受機を用意し、この収受機に料金収受に関するデータの処理機能と領収書の発行機能を持たせた。そのため、料金収受装置に障害が発生したときに、収受員がこの収受機を携行して直接にドライバーとの間で通行料金の収受を行うことにより、料金収受装置の代替として使用できる。
【０００８】
（請求項２）該通行料金の該処理は通行する車両の提示による通行記録に基づく料金データを収受員の制御に基づいてなされてもよい。
こうすると、通行料金の正確な徴収ができ、過不足の収受の発生を防げる。
【０００９】
（請求項３）該領収書は該通行料金の該処理に基づいて発行されたものであってもよい。
こうすると、ドライバーは支払った通行料金に対し、領収書をその場で取得できる。
【発明の効果】
【００１０】
（請求項１）本発明の代替用収受機によれば、料金所事務室とは分離した独立の携帯型の収受機を用意し、この収受機に料金収受に関するデータの処理機能と領収書の発行機能を持たせたので、料金収受装置に障害が発生しても、収受員がこの収受機を携行して直接にドライバーとの間で通行料金の収受を行うことができる。
【００１１】
請求項２によれば、通行料金の正確な徴収ができ、過不足の収受の発生を防げる。
【００１２】
請求項３によれば、ドライバーは支払った通行料金に対し、領収書をその場で取得できる。
【図面の簡単な説明】
【００１３】
【図１】本発明にかかる代替用収受機の具体例を示す概念図である。
【図２】回路構成の概略図である。
【発明を実施するための形態】
【００１４】
（請求項１）図１で、本発明にかかる代替用収受機は有料道路の料金所事務室３１の一時的な代替用である。この代替用収受機は、入力された通行料金１の収受２、勤務３、マスタ４の各入力情報の処理５及びこの通行料金１に対応した領収書６の発行機能を有している。そしてまた、この代替用収受機は料金所事務室３１に対して情報の遠隔送受信７が可能となっている。
【００１５】
図２はこの代替用収受機の回路構成の概略図である。ＣＰＵ８に対する入力はキー９によってなされ、領収書６はプリンター６ａが行う。料金所事務室３１との送受信はインターフェース１０を介し遠隔送受信７で行われる。この遠隔送受信７には無線ＬＡＮ７ａやハンドキャリー７ｂが採用される。
【００１６】
この代替用収受機は料金所事務室３１とは分離した独立の携帯型なので、収受員１３がこの収受機を料金所事務室３１から外部へ携行して使用できる。この収受機は料金収受に関するデータを処理する制御１４の機能と領収書６の発行機能を持っているため、料金収受装置に障害が発生したときに、収受員１３がこの収受機を携行して直接に車両１１のドライバーとの間で通行料金１の収受を行うことにより、料金収受装置の代替として使用できる。
【００１７】
料金所事務室３１は通常の機能を備えた形式のものである。即ち、管理者３２による操作３３によって改変され、また帳票３４を印刷する集配信ＰＣ３５を備えている。
【００１８】
この料金所事務室３１は通常のようにデータセンター４１と有線の導結手段４２で導結されている。このデータセンター４１も通常の構成で、管理者４３による操作４４によって改変される配信サーバ４５を備えている。
【００１９】
（請求項２）通行料金１の処理５は通行する車両１１の提示による通行記録１２に基づく料金データを収受員１３の制御１４に基づいてなされる。
この場合、通行料金の正確な徴収ができ、過不足の収受の発生を防げる。
【００２０】
（請求項３）領収書６は通行料金１の処理５に基づいて発行されたものであってもよい。
この場合、ドライバーは支払った通行料金に対し、領収書をその場で取得できる。
【符号の説明】
【００２１】
１      通行料金
２      収受
３      勤務
４      マスタ
５      処理
６      領収書
６ａ    プリンター
７      遠隔送受信
７ａ    無線ＬＡＮ
７ｂ    ハンドキャリー
８      ＣＰＵ
９      キー
１０    インターフェース
１１    車両
１２    通信記録
１３    収受員
１４    制御
３１    料金所事務室
３２    管理者
３４    帳票
３５    集配信ＰＣ
４１    データセンター
４２    導結手段
４３    管理者
４４    操作
４５    配信サーバ
【図１】
2016099818.tif 000003
【図２】
2016099818.tif 000004
【手続補正書】
【提出日】平成26年12月9日(2014.12.9)
【手続補正１】
【補正対象書類名】明細書
【補正対象項目名】全文
【補正方法】変更
【補正の内容】
【発明の詳細な説明】
【技術分野】
【０００１】
本発明は代替用収受機に関し、料金収受装置が何らかの原因でその機能を果たせなくなったときに、その料金収受装置の代替として使用できるようにしたものである。
【背景技術】
【０００２】
携帯型決済デバイスであって、近接デバイスとはオフライン型で、また遠隔デバイスとはオンライン型で、それぞれ情報のやり取りを行うものが特許文献１に開示されている。
【先行技術文献】
【特許文献】
【０００３】
【特許文献１】特開２０１０−５１４３１２号公報；段落００１７参照
【発明の概要】
【発明が解決しようとする課題】
【０００４】
この特許文献１に記載された携帯型決済デバイスは、現金を持ち歩くことなく物品の購入代金の支払いができる財布としての機能を果たさせるためのもので、残高の補充や確認のためユーザが入力できるようになっている。しかしながら、この携帯型決済デバイスはユーザによる第三者との直接的な取引を想定していないため、ユーザが行えるのはこれらの入力のみで、第三者の行為に対し受領書等を発行する能動的な機能を備えていない。
【課題を解決するための手段】
【０００５】
（請求項１）本発明に係る代替用収受機は、有料道路の料金所の一時的な代替用で、入力された通行料金の収受、勤務、マスタの各入力情報の処理及び該通行料金に対応した領収書の発行機能を有し、該料金所に対して情報の遠隔送受信が可能となっている。
【０００６】
有料道路の料金所では、料金収受装置が事故、落雷等による原因でその機能を果たせなくなると料金収受ができなくなる。この場合、車両は通行できず、渋滞が発生し、社会的に大きな影響を及ぼしてしまう。
【０００７】
本発明では、料金所とは分離した独立の携帯型の収受機を用意し、この収受機に料金収受に関するデータの処理機能と領収書の発行機能を持たせた。そのため、料金収受装置に障害が発生したときに、収受員がこの収受機を携行して直接にドライバーとの間で通行料金の収受を行うことにより、料金収受装置の代替として使用できる。
【０００８】
（請求項２）該通行料金の該処理は通行する車両の提示による通行記録に基づく料金データを収受員の制御に基づいてなされてもよい。
こうすると、通行料金の正確な徴収ができ、過不足の収受の発生を防げる。
【０００９】
（請求項３）該領収書は該通行料金の該処理に基づいて発行されたものであってもよい。
こうすると、ドライバーは支払った通行料金に対し、領収書をその場で取得できる。
【発明の効果】
【００１０】
（請求項１）本発明の代替用収受機によれば、料金所とは分離した独立の携帯型の収受機を用意し、この収受機に料金収受に関するデータの処理機能と領収書の発行機能を持たせたので、料金収受装置に障害が発生しても、収受員がこの収受機を携行して直接にドライバーとの間で通行料金の収受を行うことができる。
【００１１】
請求項２によれば、通行料金の正確な徴収ができ、過不足の収受の発生を防げる。
【００１２】
請求項３によれば、ドライバーは支払った通行料金に対し、領収書をその場で取得できる。
【図面の簡単な説明】
【００１３】
【図１】本発明にかかる代替用収受機の具体例を示す概念図である。
【図２】回路構成の概略図である。
【発明を実施するための形態】
【００１４】
（請求項１）図１で、本発明にかかる代替用収受機は有料道路の料金所３１の一時的な代替用である。この代替用収受機は、入力された通行料金１の収受２、勤務３、マスタ４の各入力情報の処理５及びこの通行料金１に対応した領収書６の発行機能を有している。そしてまた、この代替用収受機は料金所３１に対して情報の遠隔送受信７が可能となっている。
【００１５】
図２はこの代替用収受機の回路構成の概略図である。ＣＰＵ８に対する入力はキー９によってなされ、領収書６はプリンター６ａが行う。料金所３１との送受信はインターフェース１０を介し遠隔送受信７で行われる。この遠隔送受信７には無線ＬＡＮ７ａやハンドキャリー７ｂが採用される。
【００１６】
この代替用収受機は料金所３１とは分離した独立の携帯型なので、収受員１３がこの収受機を料金所３１から外部へ携行して使用できる。この収受機は料金収受に関するデータを処理する制御１４の機能と領収書６の発行機能を持っているため、料金収受装置に障害が発生したときに、収受員１３がこの収受機を携行して直接に車両１１のドライバーとの間で通行料金１の収受を行うことにより、料金収受装置の代替として使用できる。
【００１７】
料金所３１は通常の機能を備えた形式のものである。即ち、管理者３２による操作３３によって改変され、また帳票３４を印刷する集配信ＰＣ３５を備えている。
【００１８】
この料金所３１は通常のようにデータセンター４１と有線の導結手段４２で導結されている。このデータセンター４１も通常の構成で、管理者４３による操作４４によって改変される配信サーバ４５を備えている。
【００１９】
（請求項２）通行料金１の処理５は通行する車両１１の提示による通行記録１２に基づく料金データを収受員１３の制御１４に基づいてなされる。
この場合、通行料金の正確な徴収ができ、過不足の収受の発生を防げる。
【００２０】
（請求項３）領収書６は通行料金１の処理５に基づいて発行されたものであってもよい。
この場合、ドライバーは支払った通行料金に対し、領収書をその場で取得できる。
【符号の説明】
【００２１】
１      通行料金
２      収受
３      勤務
４      マスタ
５      処理
６      領収書
６ａ    プリンター
７      遠隔送受信
７ａ    無線ＬＡＮ
７ｂ    ハンドキャリー
８      ＣＰＵ
９      キー
１０    インターフェース
１１    車両
１２    通信記録
１３    収受員
１４    制御
３１    料金所  
３２    管理者
３４    帳票
３５    集配信ＰＣ
４１    データセンター
４２    導結手段
４３    管理者
４４    操作
４５    配信サーバ
【手続補正２】
【補正対象書類名】特許請求の範囲
【補正対象項目名】全文
【補正方法】変更
【補正の内容】
【特許請求の範囲】
【請求項１】
有料道路の料金所(31)の一時的な代替用で、入力された通行料金(1)の収受(2)、勤務(3)、マスタ(4)の各入力情報の処理(5)及び該通行料金(1)に対応した領収書(6)の発行機能を有し、該料金所(31)に対して情報の遠隔送受信(7)が可能となっていることを特徴とする代替用収受機。
【請求項２】
該通行料金(1)の該処理(5)は通行する車両(11)の提示による通行記録(12)に基づく料金データを収受員(13)の制御(14)に基づいてなされる請求項１に記載の代替用収受機。
【請求項３】
該領収書(6)は該通行料金(1)の該処理(5)に基づいて発行される請求項１に記載の代替用収受機。
【手続補正４】
【補正対象書類名】図面
【補正対象項目名】全図
【補正方法】変更
【補正の内容】
【図１】
2016099818.tif 000005
【図２】
2016099818.tif 000006